(57)【特許請求の範囲】
【請求項１】
基体に少なくとも３個配設されている複数の発光ダイオードと；
それぞれ入射面および出射面を有し、入射面が両側に配設されている各発光ダイオードにそれぞれ対向し発光ダイオードの光軸と自身の光軸が一致するようにして配設され、出射面から出射される発光ダイオードからの放射光によりそれぞれ比較的広角の配光が得られるように形成されている第１および第２の光制御体と；
入射面および出射面を有し、入射面が中間に配設されている発光ダイオードに対向し発光ダイオードの光軸と自身の光軸が一致するようにして配設され、出射面から出射される発光ダイオードからの放射光により第１および第２の光制御体のそれぞれの光軸の延長線間に比較的狭角の配光が得られるように形成されている第３の光制御体と；
開口部を有し、この開口部に第１ないし第３の光制御体のそれぞれの出射面が露出し、かつ、第１及び第２の光制御体が第３の光制御体よりも外側になるように第１ないし第３の光制御体を収容している器具本体と；
発光ダイオードを点灯させる点灯装置と；
を具備し、
第１の光制御体の出射面から、第２の光制御体の光軸に向けて出射される発光ダイオードからの放射光と、第２の光制御体の出射面から、第１の光制御体の光軸に対して逆方向に出射される発光ダイオードからの放射光とが合成された配光を形成し、
第２の光制御体の出射面から、第１の光制御体の光軸に向けて出射される発光ダイオードからの放射光と、第１の光制御体の出射面から、第２の光制御体の光軸に対して逆方向に出射される発光ダイオードからの放射光とが合成された配光を形成することを特徴とするＬＥＤ照明器具。
【請求項２】
第１および第２の光制御体は、自身の光軸から光軸に対して少なくとも６０°の範囲に発光ダイオードからの放射光を出射し、第３の光制御体は、自身の光軸から光軸に対して少なくとも２０°の範囲に発光ダイオードからの放射光を出射するように形成されていることを特徴とする請求項１記載のＬＥＤ照明器具。
【請求項３】
基体に少なくとも３個が直線上に配設されている複数の発光ダイオードと；
それぞれ入射面および出射面を有し、入射面が両側に配設されている各発光ダイオードにそれぞれ対向し発光ダイオードの光軸と自身の光軸が一致するようにして配設され、出射面から出射される発光ダイオードからの放射光によりそれぞれ比較的広角の配光が得られるように形成されている第１および第２の光制御体と；
入射面および出射面を有し、入射面が中間に配設されている発光ダイオードに対向し発光ダイオードの光軸と自身の光軸が一致するようにして配設され、出射面から出射される発光ダイオードからの放射光により第１および第２の光制御体のそれぞれの光軸の延長線間に比較的狭角の配光が得られるように形成されている第３の光制御体と；
開口部を有し、この開口部に第１ないし第３の光制御体のそれぞれの出射面が露出するように第１ないし第３の光制御体および発光ダイオードを収容している器具本体と；
器具本体に収容されたバッテリと；
停電時に、バッテリからの直流電圧が入力されて発光ダイオードを点灯させるように構成されている点灯装置と；
を具備し、
第１の光制御体の出射面から、第２の光制御体の光軸に向けて出射される発光ダイオードからの放射光と、第２の光制御体の出射面から、第１の光制御体の光軸に対して逆方向に出射される発光ダイオードからの放射光とが合成された配光を形成し、
第２の光制御体の出射面から、第１の光制御体の光軸に向けて出射される発光ダイオードからの放射光と、第１の光制御体の出射面から、第２の光制御体の光軸に対して逆方向に出射される発光ダイオードからの放射光とが合成された配光を形成することを特徴とするＬＥＤ非常灯。
【発明の詳細な説明】
【技術分野】
【０００１】
本発明は、レンズなどの光制御体により配光制御されるＬＥＤ照明器具およびＬＥＤ非常灯に関する。
【背景技術】
【０００２】
発光ダイオード（ＬＥＤ）から放射された光が所定の方向に照射されるように、レンズを備えたＬＥＤ照明器具が提案されている。例えば、発光ダイオードの発光領域の全域を囲繞するように基板に一体に実装された投光レンズを具備し、投光レンズの屈折率を利用して発光ダイオードからの光の配光特性を制御するＬＥＤ照明器具が提案されている（特許文献１参照。）。この従来技術のＬＥＤ照明器具は、広角型または狭角型の発光ダイオードに対応した配光特性の投光レンズを実装するものであり、広角の場合には、発光ダイオードから拡散する光を逃がすことなく照明光として有効に利用することができ、狭角型の場合には、発光ダイオードからの光を所望の方向に向けて照明光として有効に利用することができるというものである。
【０００３】
また、錘状部分を有する透明体と、錘状部分の中心軸線から放射状に配置され錘状部分の頂部側から錘状部分に向けて光を照射する複数の発光ダイオードを具備する照明装置が提案されている(特許文献２参照。)。この従来技術の照明器具は、発光ダイオードからの光が錘状部分を透過したり、錘状部分で反射して拡散するので、広角的に照明することが可能となるというものである。
【０００４】
ところで、天井に直付けまたは埋設されるＬＥＤ照明器具は、一般に、照明器具直下から所定の範囲の床面に対して一定値以上の照度（明るさ）が求められている。このためには、照明器具が広角な配光特性を有する必要がある。特に、非常灯においては、１ｌｘ（ルクス）以上の明るさで、広角的な配光が求められている。
【特許文献１】特開２００４−１７９０４８号公報（第４頁、第１図）
【特許文献２】特開２００４−３０３６８６号公報（第４頁、第１図）
【発明の開示】
【発明が解決しようとする課題】
【０００５】
特許文献１のＬＥＤ照明器具は、発光ダイオードからの光の利用効率を高めるものであり、広角型の発光ダイオードを用いた場合には、これに対応した配光特性の投光レンズを用いることにより、光軸に対して広角の領域を照明することができるが、光軸に対して狭角の領域の照度が不足するなど、所望の照明領域に照度むらが発生するおそれがある。
【０００６】
また、特許文献２の照明装置は、透明体の錘状部分において発光ダイオードからの光が透過、拡散することにより、照明領域が広くなり、照明領域を一様の照度で照明することができる。しかし、例えば複数の発光ダイオードを錘状部分の中心軸線から放射状に配置するなど、多数の発光ダイオードを用いるので、照明装置が小形化されにくく、高価になるという欠点を有する。特に、器具本体が小形化しにくくなることにより、天井に配設される非常灯などの小形の照明器具に適さないという欠点を有する。
【０００７】
本発明は、小形であって、照度むらを抑制して広範囲を照明するＬＥＤ照明器具およびＬＥＤ非常灯を提供することを目的とする。
【課題を解決するための手段】
【０００８】
請求項１に記載のＬＥＤ照明器具の発明は、基体に少なくとも３個配設されている複数の発光ダイオードと；それぞれ入射面および出射面を有し、入射面が両側に配設されている各発光ダイオードにそれぞれ対向し発光ダイオードの光軸と自身の光軸が一致するようにして配設され、出射面から出射される発光ダイオードからの放射光によりそれぞれ比較的広角の配光が得られるように形成されている第１および第２の光制御体と；入射面および出射面を有し、入射面が中間に配設されている発光ダイオードに対向し発光ダイオードの光軸と自身の光軸が一致するようにして配設され、出射面から出射される発光ダイオードからの放射光により第１および第２の光制御体のそれぞれの光軸の延長線間に比較的狭角の配光が得られるように形成されている第３の光制御体と；開口部を有し、この開口部に第１ないし第３の光制御体のそれぞれの出射面が露出し、かつ、第１及び第２の光制御体が第３の光制御体よりも外側になるように第１ないし第３の光制御体を収容している器具本体と；発光ダイオードを点灯させる点灯装置と；を具備し、第１の光制御体の出射面から、第２の光制御体の光軸に向けて出射される発光ダイオードからの放射光と、第２の光制御体の出射面から、第１の光制御体の光軸に対して逆方向に出射される発光ダイオードからの放射光とが合成された配光を形成し、第２の光制御体の出射面から、第１の光制御体の光軸に向けて出射される発光ダイオードからの放射光と、第１の光制御体の出射面から、第２の光制御体の光軸に対して逆方向に出射される発光ダイオードからの放射光とが合成された配光を形成することを特徴とする。
【０００９】
本発明および以下の各発明において、特に言及しない限り、各構成は以下による。
【００１０】
複数の発光ダイオードは、ひとつの基体に配設されてもよく、それぞれ個別の基体に配設されていてもよい。
【００１１】
「発光ダイオードの光軸と光制御体の光軸が一致する」とは、厳密な（幾何学的な）光軸の一致を意味するものではなく、言うなれば略一致していればよいものである。
【００１２】
光制御体は、透明なガラスまたは合成樹脂のいずれで形成されていてもよく、例えばレンズ体とすることができる。
【００１３】
点灯装置は、器具本体に収容されていてもよく、器具本体の外面側に配設されていてもよく、あるいは器具本体と別置されていてもよい。
【００１４】
本発明のＬＥＤ照明器具は、第３の光制御体の出射面から比較的狭角の配光特性で出射される発光ダイオードからの光により主として光軸の延長線周りの照射面を照明し、第１および第２の光制御体の出射面からそれぞれ比較的広角の配光特性で出射される発光ダイオードからの光により主として光軸の延長線に対して比較的広角の位置の照射面を照明する。これにより、複数の発光ダイオードからの光により照射される照射面の領域を広くし、当該照射面を略一定の照度で照明する。
【００１５】
請求項２に記載のＬＥＤ照明器具の発明は、請求項１記載のＬＥＤ照明器具において、第１および第２の光制御体は、自身の光軸から光軸に対して少なくとも６０°の範囲に発光ダイオードからの放射光を出射し、第３の光制御体は、自身の光軸から光軸に対して少なくとも２０°の範囲に発光ダイオードからの放射光を出射するように形成されていることを特徴とする。
【００１６】
第１および第２の光制御体からの出射角度が６０°であると、器具本体からの照明光による照明領域が広くなる。出射角度の上限値は、第１および第２の光制御体の形状や当該照明領域の照度などを考慮して、７０°とする。また、第３の光制御体からの出射角度が２０°であると、器具本体の直下周囲の照度（明るさ）が確保される。そして、その上限値は、３０°とし、この上限値の範囲までは、前記直下周囲を所定の照度とすることが可能である。
【００１７】
本発明のＬＥＤ照明器具は、第１および第２の光制御体により、自身の光軸から光軸に対して少なくとも６０°の範囲まで照明し、第３の光制御体により、自身の光軸から光軸に対して少なくとも２０°の範囲まで照明し、照明領域が前記少なくとも６０°までの広範囲となり、前記少なくとも２０°の範囲までの照度が確保されて、全照明領域を略一定に照明する。
【００１８】
請求項３に記載のＬＥＤ非常灯の発明は、基体に少なくとも３個が直線上に配設されている複数の発光ダイオードと；それぞれ入射面および出射面を有し、入射面が両側に配設されている各発光ダイオードにそれぞれ対向し発光ダイオードの光軸と自身の光軸が一致するようにして配設され、出射面から出射される発光ダイオードからの放射光によりそれぞれ比較的広角の配光が得られるように形成されている第１および第２の光制御体と；入射面および出射面を有し、入射面が中間に配設されている発光ダイオードに対向し発光ダイオードの光軸と自身の光軸が一致するようにして配設され、出射面から出射される発光ダイオードからの放射光により第１および第２の光制御体のそれぞれの光軸の延長線間に比較的狭角の配光が得られるように形成されている第３の光制御体と；開口部を有し、この開口部に第１ないし第３の光制御体のそれぞれの出射面が露出するように第１ないし第３の光制御体および発光ダイオードを収容している器具本体と；器具本体に収容されたバッテリと；停電時に、バッテリからの直流電圧が入力されて発光ダイオードを点灯させるように構成されている点灯装置と；を具備し、第１の光制御体の出射面から、第２の光制御体の光軸に向けて出射される発光ダイオードからの放射光と、第２の光制御体の出射面から、第１の光制御体の光軸に対して逆方向に出射される発光ダイオードからの放射光とが合成された配光を形成し、第２の光制御体の出射面から、第１の光制御体の光軸に向けて出射される発光ダイオードからの放射光と、第１の光制御体の出射面から、第２の光制御体の光軸に対して逆方向に出射される発光ダイオードからの放射光とが合成された配光を形成することを特徴とする。
【００１９】
本発明のＬＥＤ非常灯は、停電時に、点灯装置により発光ダイオードが点灯され、第３の光制御体の出射面から比較的狭角の配光特性で出射される発光ダイオードからの光により主として光軸の延長線周りの照射面を照明し、第１および第２の光制御体の出射面から比較的広角の配光特性で出射される発光ダイオードからの光により主として光軸の延長線に対して比較的広角の位置の照射面を照明する。これにより、ＬＥＤ非常灯は、複数の発光ダイオードからの放射光により照明する照射面の領域を広くし、当該照射面を略一定の照度で照明する。
【発明の効果】
【００２０】
請求項１の発明によれば、第１および第２の光制御体により、それぞれ比較的広角の配光で照明し、第３の光制御体により、第１および第２の光制御体のそれぞれの光軸の延長線間で比較的狭角の配光で照明するので、器具本体から出射される照明光により照明される照明領域を広くすることができ、照明領域を略一定の明るさにできる。そして、照明領域が広くなることにより、ＬＥＤ照明器具の設置数を少なくすることができる。また、３個の発光ダイオードおよび第１ないし第３の光制御体を有して前記比較的狭角および広角の配光特性を有するように構成できるので、器具本体およびＬＥＤ照明器具を小形化することができる。
【００２１】
請求項２の発明によれば、照明領域が第１および第２の光制御体の光軸に対して少なくとも６０°の範囲に出射光が照射され、かつ第３の光制御体の光軸に対して少なくとも２０°の範囲に出射光が照射されるので、器具本体の照射面例えば床面からの高さによらず、広い領域を略一定の照度で照明することができる。
【００２２】
請求項３の発明によれば、停電時に、器具本体から出射される複数の発光ダイオードからの光により広い領域が略一定の明るさで照明されるので、器具本体の配設間隔を大きくすることができて、ＬＥＤ非常灯の設置数を少なくすることができる。そして、３個の発光ダイオードおよび第１ないし第３の光制御体を有して前記比較的狭角および広角の配光特性を有するように構成できるので、ＬＥＤ非常灯を小形化することができる。
【発明を実施するための最良の形態】
【００２３】
以下、本発明の一実施の形態について図面を参照して説明する。まず、本発明の第１の実施形態について説明する。
【００２４】
図１ないし図５は、本発明の第１の実施形態を示し、図１はＬＥＤ非常灯であり、図２のＸ−Ｘ方向の概略縦断面図、図２はＬＥＤ非常灯の概略下面図、図３はレンズの概略縦断面図、図４はＬＥＤ非常灯の配光図、図５はＬＥＤ非常灯の内部配線図である。
【００２５】
図１において、ＬＥＤ非常灯１は、発光ダイオード（ＬＥＤ）２、第１の光制御体としてのレンズ３、第３の光制御体としてのレンズ４、第２の光制御体としてのレンズ５、点灯装置６、バッテリ７および器具本体８を有して構成されている。
【００２６】
発光ダイオード２は、３個が長方形状の基体９に直線上に等間隔で配設（並設）されていて、発光(点灯)により白色光を放射するように形成されている。基体９は、例えばポリブチレンテレフタレート（ＰＢＴ）樹脂からなり、器具本体８の下部側の内面に設けられた支持部材１０，１０に載置され、支持部材１０，１０に図示しないねじにより固定されている。
【００２７】
レンズ３，４，５は、基体９に配設された３個のそれぞれの発光ダイオード２に対応して設けられている。そして、基体９の両側に配設されている発光ダイオード２，２に対応するレンズ３，５は、同一の形状に形成され、基体９の中間（長手方向の中心）に配設されている発光ダイオード２に対応するレンズ４と形状が異なっている。
【００２８】
レンズ３は、例えば強化ガラスからなり、図３（ａ）に示すように、入射面３ａ、出射面３ｂおよび側面３ｃを有する略放物体状に形成されている。そして、頂部３ｄに略柱状の凹部１１が形成され、この凹部１１に発光ダイオード２が収容されるようにしている。凹部１１の底面は、入射面３ａとなり、発光ダイオード２に対向している。
【００２９】
そして、レンズ３は、取付部材１２により基体９に固定されている。取付部材１２は、上端側に鍔部１２ａ、下端側に底面部１２ｂを有する略円筒状に形成されている。そして、底面部１２ｂにレンズ３の出射面３ｂを露出させる円状の開口１３が形成されているとともに、円状の段部１４が形成されている。この段部１４にレンズ３の出射面３ｂ側の側面３ｃが嵌め込まれて、取付部材１２にレンズ３が支持されている。
【００３０】
そして、取付部材１２の鍔部１２ａは、基体９に図示しないねじにより取り付けられている。このとき、凹部１１に発光ダイオード２が収容され、発光ダイオード２の光軸Ａとレンズ３の光軸Ｂが一致（略一致）するようにしている。
【００３１】
レンズ３は、頂部３ｄから出射面３ｂ側に向かうにしたがい側面３ｃが光軸Ｂから大きく遠ざかるように形成されている。そして、出射面３ｂ側の側面３ｃが、主として、発光ダイオード２からの放射光を光軸Ｂに対して略６０°の方向に反射させるように形成されている。すなわち、レンズ３は、発光ダイオード２からの放射光により、図４に示すように、光軸Ｂに対して比較的広角の配光である配光特性Ｄが得られるように形成されている。
【００３２】
レンズ５は、レンズ３の説明と同様であり、図４に示す配光特性Ｄが得られるように形成されている。
【００３３】
一方、レンズ４は、例えば強化ガラスからなり、図３（ｂ）に示すように、入射面４ａ、出射面４ｂおよび側面４ｃを有する略放物体状に形成されている。そして、頂部４ｄに略柱状の凹部１１Ａが形成され、この凹部１１Ａに発光ダイオード２が収容されるようにしている。凹部１１Ａの底面は、入射面４ａとなり、発光ダイオード２に対向している。レンズ４は、発光ダイオード２の光軸Ａと自身の光軸Ｃが一致（略一致）するようにして、取付部材１２と同様に形成された取付部材１５により基体９に固定されている。
【００３４】
そして、レンズ４は、頂部４ｄから出射面４ｂ側に向かうにしたがい側面４ｃが光軸Ｃから遠ざかるように形成され、レンズ３，５のそれぞれの光軸Ｂ，Ｂの延長線間に比較的狭角の配光が得られるように形成されている。そして、側面４ｃが、主として、発光ダイオード２からの放射光を光軸Ｃに対して略２０°の方向に反射させるように形成されている。すなわち、レンズ４は、発光ダイオード２からの放射光により、図４に示すように、光軸Ｃに対して比較的狭角の配光である配光特性Ｅが得られるように形成されている。
【００３５】
上述したように、第１および第２の光制御体としてのレンズ３，５と第３の光制御体としてのレンズ４は、異なる形状に形成され、それぞれ比較的広角および狭角の異形の配光特性Ｄ，Ｅが得られるように形成されている。
【００３６】
図１において、点灯装置６は、それぞれの発光ダイオード２に所定の電流を流して点灯させるように構成されている。点灯装置６は、器具本体８の中間部の内面に設けられた支持部材１６，１６に載置されて固定された取付板１７に配設されている。
【００３７】
また、バッテリ７は、点灯装置６に直流電圧で給電する。バッテリ７は、器具本体８の上部側の内面に設けられた支持部材１８，１８に載置されて固定された取付板１９に配設されている。
【００３８】
そして、点灯装置６は、図５に示すように、点灯ユニット２０内に設けられている。点灯ユニット２０は、さらに充電回路２１、切換回路２２が設けられ、点検スイッチ２３および充電用モニター２４が配設されている。そして、充電回路２１に接続されている電源線２５，２５が導出され、この電源線２５，２５は電源端子２６，２６を介して商用交流電源Ｖｓに接続されている。また、充電回路２１または点灯装置６と電気的に接続されるリード線２７，２７が導出され、このリード線２７，２７は、コネクタ２８およびヒューズＦ１を介してバッテリ７に接続されている。さらに、点灯装置６に接続されているランプ線２９，２９が導出されており、このランプ線２９，２９は、複数の発光ダイオード２に接続されている。
【００３９】
充電回路２１は、バッテリ７を充電するように構成されている。そして、バッテリ７がフル充電の状態になると、充電用モニター２４が点灯する。切換回路２２は、停電時に、バッテリ７と点灯装置６が接続されるようにして、バッテリ電圧が点灯装置６に入力されるように構成されている。また、点検スイッチ２３の引き紐３０を引っ張ると、点検スイッチ２３がバッテリ５と点灯装置６を接続するようにしている。これにより、停電時に、発光ダイオード２が点灯することの確認がなされる。
【００４０】
図１において、器具本体８は、上面に開口部３１、下面に開口部３２を有し、天井３３の開口３４に装着し得るように略筒状の形状に形成されている。そして、器具本体８の外周面には、複数の板ばね３５，３５が取り付けられ、下面には、下カバー３６が着脱自在に取り付けられている。下カバー３６は、内面に設けられた突出部材３６ａ，３６ａが互いに拡開するようにして器具本体８の内面に当接することにより、器具本体８に取り付けられている。
【００４１】
そして、器具本体８が天井３３の開口３４に挿入された後、板バネ３５，３５の弾性力により、天井３３が板バネ３５，３５と下カバー３６によって挟持されることにより、器具本体８は、天井３３に固定される。そして、器具本体８の上面には、開口部３１を塞ぐ蓋体３７が配設されている。
【００４２】
また、下カバー３６の外面３６ｂには、図２に示すように、それぞれレンズ３，４，５の出射面３ｂ，４ｂ，５ｂと対向し、当該出射面３ｂ，４ｂ，５ｂと略同等の大きさであって円状の開口部３８，３９，４０が形成されている。この開口部３８，３９，４０を介して、レンズ３，４，５の出射面３ｂ，４ｂ，５ｂが露出している。また、下カバー３６は、外周側にスリット状の開口部４１および小孔４２が設けられている。そして、開口部４１から引き紐３０が引き出され、小孔４２に充電用モニター２４が臨んでいる。
【００４３】
下カバー３６は、外面３６ｂに形成された開口部３８，３９，４０にそれぞれレンズ３，４，５の出射面３ｂ，４ｂ，５ｂが露出し、この出射面３ｂ，４ｂ，５ｂが主に視認されるので、見栄えや意匠性が良好となっている。そして、器具本体８は、上述したように、複数の発光ダイオード２、レンズ３，４，５、バッテリ７および点灯ユニット２０を収容している。
【００４４】
次に、本発明の第１の実施形態の作用について述べる。
【００４５】
停電すると、点灯装置６にバッテリ７から直流電圧が入力される。点灯装置６は、動作してそれぞれの発光ダイオード２を点灯させる。
【００４６】
発光ダイオード２が点灯すると、それぞれのレンズ３，４，５の入射面３ａ，４ａ，５ａに発光ダイオード２からの放射光が入射される。そして、発光ダイオード２からの放射光の一部は、それぞれ側面３ｃ，４ｃ，５ｃの内表面で反射され、出射面３ｂ，４ｂ，５ｂで屈折されて出射面３ｂ，４ｂ，５ｂから出射され、残部の一部は、主としてレンズ３，４，５に吸収される。
【００４７】
そして、出射面３ｂ，４ｂ，５ｂから出射されたそれぞれの出射光は、それぞれ器具本体８の開口部３２を通過して下カバー３６の開口部３８，３９，４０から出射される。
【００４８】
そして、下カバー３６の開口部３８，４０から出射された光は、それぞれ図４に示す配光特性Ｄに示す配光で床面（照射面）を照明し、レンズ３，５の光軸Ｂに対して略６０°の比較的広角の範囲を照明する。すなわち、器具本体８の両側から遠ざかっている床面が照明される。
【００４９】
また、下カバー３６の開口部３９から出射された光は、図４に示す配光特性Ｅに示す配光で床面（照射面）を照明し、レンズ４の光軸Ｃに対して略２０°の比較的挟角の範囲を照明する。すなわち、器具本体８の直下の床面が照明される。そして、レンズ４による配光がレンズ３，５のそれぞれの光軸Ｂ，Ｂの延長線間に得られることにより、器具本体８の直下の照度（明るさ）が確保される。これにより、下カバー３６の開口部３８，３９，４０から出射される光は、図４に示す配光特性Ｆに示す配光で床面（照射面）を照明するようになり、床面の広範囲を照明し、器具本体８の直下側の床面の照度が高くなって、全照明領域の床面が略一定の明るさとなる。
【００５０】
そして、レンズ３，５の光軸Ｂに対して略６０°の比較的広角の位置の床面においても、この位置にレンズ３，５からの出射光が照射されるので、所定の照度例えば１ｌｘ（ルクス）を確保することが可能である。これにより、天井３３に配設する器具本体８の設置間隔を大きくすることができて、ＬＥＤ非常灯１の設置数を少なくすることができる。
【００５１】
そして、器具本体８は、３個の発光ダイオードおよびそれに対応する３個のレンズ３，４，５を有して形成されているので、発光ダイオード２およびレンズ３，４，５の数量が少なく、発光ダイオード２の指向性によりレンズ３，４，５も比較的小形に形成されるので、器具本体８を小形化することができる。すなわち、ＬＥＤ非常灯１は、小形に形成することができる。
【００５２】
なお、上記実施形態において、両側のレンズ３，５がそれぞれ広角の配光特性Ｄを有し、中間のレンズ４が挟角の配光特性Ｅを有するように構成しているが、逆に、中間のレンズが広角の配光特性Ｄを有し、両側のレンズがそれぞれ挟角の配光特性Ｅを有するように構成していても、上述と同様、床面を所定の照度例えば１ｌｘ（ルクス）以上で照明させられる。この場合、本発明のＬＥＤ非常灯１よりも照明領域が狭くなり、天井３３に設置される器具本体８の設置間隔が小さくなり、ＬＥＤ非常灯の設置数が多くなる。
【００５３】
次に、本発明の第２の実施形態について説明する。
【００５４】
図６および図７は、本発明の第２の実施形態を示し、図６はＬＥＤ照明器具であり、図７のＸ−Ｘ方向の概略縦断面図、図７はＬＥＤ照明器具の概略下面図である。なお、図１および図２と同一部分には、同一符号を付して説明は省略する。
【００５５】
図６および図７に示すＬＥＤ照明器具４３は、図１に示すＬＥＤ非常灯１において、バッテリ７および点灯ユニット２０が取り除かれ、代わって点灯装置４４が配設されたダウンライトである。器具本体４５は、バッテリ７および点灯ユニット２０が取り除かれた分、器具本体８よりも高さが小さくなっている。点灯装置４４は、商用交流電源Ｖｓに接続され、交流電圧を直流電圧に変換するとともに、電圧調整を行って発光ダイオード２を点灯させるように構成されている。
【００５６】
ＬＥＤ照明器具４３は、発光ダイオード２の点灯により、器具本体４５の直下から器具本体４５の鉛直方向に対して略６０°の比較的広角の位置の床面まで、一定値以上の照度で照明することができる。
【図面の簡単な説明】
【００５７】
【図１】本発明の第１の実施形態を示すＬＥＤ非常灯であり、図２のＸ−Ｘ方向の概略縦断面図。
【図２】同じく、ＬＥＤ非常灯の概略下面図。
【図３】同じく、レンズの概略縦断面図。
【図４】同じく、ＬＥＤ非常灯の配光図。
【図５】同じく、ＬＥＤ非常灯の内部配線図。
【図６】本発明の第２の実施形態を示すＬＥＤ照明器具であり、図７のＸ−Ｘ方向の概略縦断面図。
【図７】同じく、ＬＥＤ照明器具の概略下面図
【符号の説明】
【００５８】
１…ＬＥＤ非常灯
２…発光ダイオード
３…第１の光制御体としてのレンズ
４…第３の光制御体としてのレンズ
５…第２の光制御体としてのレンズ
６，４４…点灯装置
７…バッテリ
８，４５…器具本体
４３…ＬＥＤ照明器具
【図１】
0004756346.tif 000002
【図２】
0004756346.tif 000003
【図３】
0004756346.tif 000004
【図４】
0004756346.tif 000005
【図５】
0004756346.tif 000006
【図６】
0004756346.tif 000007
【図７】
0004756346.tif 000008